(57)【要約】    【課題】  遠距離のＲＦＩＤタグへのリード・ライトが可能であると共に、高周波回路からの発熱に対応し得るＲＦＩＤリーダライタ携帯端末を提供する。    【解決手段】  アンテナ部９０と高周波回路８０とをユニット化したアンテナユニット７０を、筐体１４の外側に配置してあるため、遠距離のＲＦＩＤタグへのリード・ライトを行うために高出力の電波を高周波回路８０で発生させても、熱が筐体内部で発生せず、筐体外部に取り付けられる高周波回路８０で発生した熱を外気側へ逃がし易い。これにより、高周波回路８０からの発熱に対応することができる。【選択図】  図１
2011008452.tif 000002
【特許請求の範囲】
【請求項１】
ＲＦＩＤリード・ライト機能を備えるＲＦＩＤリーダライタ携帯端末であって、
アンテナと高周波回路とをユニット化したアンテナユニットを、筐体の外側に配置し、前記高周波回路と筐体内の電力回路とを高周波ケーブルで接続し、
前記電力回路は、前記高周波回路を動作させるための直流電力と、ＲＦＩＤリード・ライト用の高周波信号と、前記高周波回路を制御するための制御用低周波信号とを前記高周波回路へ供給し、
前記高周波回路は、前記直流電力と、前記高周波信号と、前記制御用低周波信号とを分離し、該制御用低周波信号に基づき制御を行い、前記直流電力を用いて前記高周波信号を増幅して前記アンテナ側へ出力することを特徴とするＲＦＩＤリーダライタ携帯端末。
【請求項２】
前記筐体は矩形形状に形成され、前記アンテナユニットは、矩形形状の前記筐体の長手方向側の端部に取り付けられ、操作者により把持される把持部は、長手方向の前記端部の反対側に設けられることを特徴とする請求項１のＲＦＩＤリーダライタ携帯端末。
【請求項３】
前記高周波回路は、
前記直流電力を分離するための低周波通過フィルターと、
前記高周波信号を分離するための高周波通過フィルターと、
前記制御用低周波信号を分離するための帯域通過フィルタと、を備えることを特徴とする請求項１又は請求項２のＲＦＩＤリーダライタ携帯端末。
【請求項４】
前記高周波回路は、高出力の電波を出力するための高消費電力モードと、低出力の電波を出力するための低消費電力モードとを、前記制御用低周波信号に基づき切り換えることを特徴とする請求項１〜請求項３のいずれか１のＲＦＩＤリーダライタ携帯端末。
【請求項５】
前記アンテナユニットは、前記筐体に着脱可能に取り付けられ、前記高周波ケーブルと、前記アンテナユニットとは、前記高周波ケーブルから着脱可能なアンテナユニットのコネクタを介して接続されていることを特徴とする請求項２のＲＦＩＤリーダライタ携帯端末。
【発明の詳細な説明】
【技術分野】
【０００１】
本発明は、ＲＦＩＤタグと無線通信して読み出し書き込みを行うＲＦＩＤリーダライタ携帯端末に関するものである。
【背景技術】
【０００２】
ＲＦＩＤ（Radio Frequency IDentification）システムは、ＩＤや情報のデータを登録するＲＦＩＤタグと、ＲＦＩＤタグを認識・制御するＲＦＩＤリーダライタ携帯端末とから構成される。電池を内蔵しないＲＦＩＤタグ（パッシブタグ）は、内蔵アンテナとＩＣチップとを供え、ＲＦＩＤリーダライタ携帯端末のアンテナから出力された電波や磁界を介して電力や通信データを内蔵アンテナで受け、ＩＣチップにデータを登録（エンコード）し、またＩＣチップからのデータをＲＦＩＤリーダライタ携帯端末へ返送する。
【０００３】
特許文献１には、送受コンバイナを用いることで給電線の数を減らした空中線系の共用装置が開示されている。
【先行技術文献】
【特許文献】
【０００４】
【特許文献１】特開平８−４６５４１号公報
【発明の概要】
【発明が解決しようとする課題】
【０００５】
近年、遠距離のＲＦＩＤタグとの通信を可能にすることがＲＦＩＤリーダライタ装置に求められている。遠距離のＲＦＩＤタグと通信を行うためには、ＲＦＩＤリーダライタ装置の送信出力を高める必要があるが、ＲＦＩＤシステムで用いられる通信周波数は非常に高く、送信出力を高めるとパワーアンプ（高周波回路）での発熱量が増大し、携帯型では使用者に熱を伝えないようにすることが難しい。
【０００６】
また、遠距離のＲＦＩＤタグとの通信を可能にするためには、アンテナをＲＦＩＤリーダライタ携帯端末の何処に設けるかが問題となる。即ち、筐体内にアンテナを収容すると、アンテナからの電波が筐体、筐体内使用部品で減衰することになる。また、使用者に近い位置にアンテナを配置すると、アンテナ特性が使用者により影響を受けることになる。
【０００７】
本発明は、上述した課題を解決するためになされたものであり、その目的とするところは、遠距離のＲＦＩＤタグへのリード・ライトが可能であると共に、高周波回路からの発熱に対応し得るＲＦＩＤリーダライタ携帯端末を提供することにある。
【課題を解決するための手段】
【０００８】
上記目的を達成するため、請求項１の発明は、ＲＦＩＤリード・ライト機能を備えるＲＦＩＤリーダライタ携帯端末１０であって、
アンテナ９０と高周波回路８０とをユニット化したアンテナユニット７０を、筐体１４の外側に配置し、前記高周波回路８０と筐体内の電力回路５６とを高周波ケーブル６２ｏ、６２ｉで接続し、
前記電力回路５６は、前記高周波回路を動作させるための直流電力と、ＲＦＩＤリード・ライト用の高周波信号と、前記高周波回路を制御するための制御用低周波信号とを前記高周波回路８０へ供給し、
前記高周波回路８０は、前記直流電力と、前記高周波信号と、前記制御用低周波信号とを分離し、該制御用低周波信号に基づき制御を行い、前記直流電力を用いて前記高周波信号を増幅して前記アンテナ９０側へ出力することを技術的特徴とする。
【発明の効果】
【０００９】
請求項１のＲＦＩＤリーダライタ携帯端末は、アンテナと高周波回路とをユニット化したアンテナユニットを、筐体の外側に配置してあるため、遠距離のＲＦＩＤタグへのリード・ライトを行うために高出力の電波を高周波回路で発生させても、熱が筐体内部で発生せず、筐体外部に取り付けられる高周波回路で発生した熱を外気側へ逃がし易い。これにより、高周波回路からの発熱に対応することができる。また、電力回路から高周波回路を動作させるための直流電力と、ＲＦＩＤリード・ライト用の高周波信号と、高周波回路を制御するための制御用低周波信号とを１本の送信用高周波ケーブルを介して高周波回路へ供給し、高周波回路は、直流電力と、高周波信号と、制御用低周波信号とを分離し、該制御用低周波信号に基づき制御を行い、直流電力を用いて高周波信号を増幅してアンテナ側へ出力する。即ち、電力回路と高周波回路とが１本の送信用高周波ケーブル及び１本の受信用高周波ケーブルで接続可能であり、アンテナユニットと筐体内に設けられる電力回路との電気的接続箇所を２カ所（高周波ケーブルのコネクタ等）にできるので、アンテナユニットを筐体に簡単に取り付けることができる。
【００１０】
請求項２のＲＦＩＤリーダライタ携帯端末で、アンテナユニットは、矩形形状の筐体の長手方向側の端部に取り付けられ、操作者により把持される把持部は、該端部の反対側に設けられる。このため、アンテナユニットから操作者が把持する把持部が離れ、アンテナユニットの高周波回路で発生した熱が、把持部まで伝わり難い。また、アンテナユニットから操作者が把持する把持部が離れているため、操作者（人体、手）による影響を受け難く、アンテナの特性を安定させることができる。
【００１１】
請求項３のＲＦＩＤリーダライタ携帯端末は、高周波回路が、直流電力を分離するための低周波通過フィルターと、高周波信号を分離するための高周波通過フィルターと、制御用低周波信号を分離するための帯域通過フィルタとを備える。このため、高周波回路は、電力回路の出力から直流電力と、高周波信号と、制御用低周波信号とを分離することができる。
【００１２】
請求項４のＲＦＩＤリーダライタ携帯端末は、高周波回路が、高出力の電波を出力するための高消費電力モードと、低出力の電波を出力するための低消費電力モードとを制御用低周波信号に基づき切り換える。高消費電力モードで高出力の電波を出力して遠距離のＲＦＩＤタグへのリード・ライトが可能であると共に、近距離のＲＦＩＤタグへのリード・ライトの際には低消費電力モード用いて電力の消費を押さえ、電池による駆動時間を延ばすことができる。
【００１３】
請求項５のＲＦＩＤリーダライタ携帯端末は、アンテナユニットが筐体に着脱可能に取り付けられ、高周波ケーブルとアンテナユニットとが、高周波ケーブルから着脱可能なアンテナユニットのコネクタを介して接続されている。即ち、電気的接続箇所が送信用及び受信用の２カ所であるため、アンテナユニットを筐体から容易に着脱可能できるように構成でき、操作者が誤ってＲＦＩＤリーダライタ携帯端末を落下させた際にも、アンテナユニットを筐体から容易に外れるようにすることで、アンテナユニットの故障の蓋然性を低下させることができる。
【図面の簡単な説明】
【００１４】
【図１】図１（Ａ）は本発明の実施形態に係る情報コード読取装置の平面図であり、図１（Ｂ）は側面図である。
【図２】図２（Ａ）はアンテナユニットを外した実施形態に係る情報コード読取装置の平面図であり、図２（Ｂ）は側面図である。
【図３】図３（Ａ）はアンテナユニットの底面図であり、図３（Ｂ）は側面図であり、図３（Ｃ）はアンテナユニット内の高周波回路のブロック図であり、図３（Ｄ）は、ＤＣ／制御信号／ＲＦ信号分離回路のブロック図である。
【図４】情報コード読取装置の電気的構成を示すブロック図である。
【図５】ＤＣ／制御信号／ＲＦ信号結合回路のブロック図である。
【図６】情報コード読取装置のリード・ライト動作を示すステップ図である。
【図７】制御信号生成回路での動作切り換えを示すフローチャートである。
【図８】ＤＣ／制御信号／ＲＦ信号結合回路からの信号の波形図であり、図８（Ａ）は、高消費電力モードのときの波形を示し、図８（Ｂ）は、低消費電力モードのときの波形を示す。
【発明を実施するための形態】
【００１５】
以下、本発明のＲＦＩＤリーダライタ携帯端末を情報コード読取装置に適用した実施形態について図を参照して説明する。
実施形態の情報コード読取装置１０は、使用者が手で持って操作するハンディータイプであって、商品に付けられたバーコード、二次元コード等の光学情報を読み取りと共に、ＲＦＩＤタグとの無線通信を行い得るものである。
【００１６】
図１（Ａ）は情報コード読取装置１０の平面図であり、図１（Ｂ）は側面図である。図２（Ａ）はアンテナユニット７０を外した情報コード読取装置１０の平面図であり、図２（Ｂ）は側面図である。実施形態の情報コード読取装置１０では、情報コード読取装置の筐体１４の外側に、アンテナと高周波回路とをユニット化したアンテナユニット７０を取り付けて成る。
【００１７】
情報コード読取装置１０は握り部を兼用する操作部１２、液晶表示装置４６などを備えている。操作部１２には、例えば複数のキースイッチ４１が設けられ、これらキースイッチ４１により、動作内容を指示するようになっている。この操作部１２には、キースイッチ４１に加えて、読み取り開始を指示するためのトリガースイッチ４２が設けられている。情報コード読取装置１０の筐体１４の前端に形成された略矩形の開口部（読取口）１６には後述する光学系ユニットが配置されている。筐体１４内には後述する電力回路、制御回路等を実装しているプリント基板２０が収容されている。
【００１８】
図３（Ａ）はアンテナユニット７０の底面図であり、図３（Ｂ）は側面図である。アンテナユニット７０には、アンテナ部９０とパワーアンプを構成する高周波回路８０とが収容されている。図１（Ｂ）に示すようにプリント基板２０から、直流電力、ＲＦ信号、及び、高周波回路の制御信号が、１本の送信用の同軸ケーブル（高周波ケーブル）６２ｏを介して、アンテナユニット７０の高周波回路８０へ供給される。アンテナユニット７０からは受信用の同軸ケーブル６２ｉを介してプリント基板２０へ受信電波が供給される。この同軸ケーブル６２ｏ、６２ｉには、両端に雄コネクタ６０ｏ、６０ｉ、６４ｏ、６４ｉが設けられ、雄コネクタ６０ｏ、６０ｉが、プリント基板２０側の雌コネクタ５８ｏ、５８ｉに接続され、雄コネクタ６４ｏ、６４ｉが、アンテナユニット７０側の雌コネクタ７２ｏ、７２ｉに接続される。雄コネクタ６４ｏ、６４ｉは筐体１４に固定されている。
【００１９】
アンテナユニット７０の筐体１４への取り付けは、図２中に示す筐体１４の上面１４Ｕに設けられたカギ状の係合片１８を、図３（Ｂ）中に示すアンテナユニットのカギ状の係合片７４に係合させることにより行う。係合片７４は、係合片１８を導入するための導入孔７４ａ内に設けられている。アンテナユニット７０は、アンテナ部９０の裏面側が、筐体１４の前端面１４Ｆに当接した状態で、アンテナユニット７０を筐体の上面１４Ｕ側へ押し下げることで、アンテナユニットのカギ状の係合片７４が、筐体１４の係合片１８と係合し、アンテナユニット７０の雌コネクタ７２ｏ、７２ｉが、同軸ケーブル６２ｏ、６２ｉの雄コネクタ６４ｏ、６４ｉに係合し、アンテナユニット７０の筐体１４への取り付けが完了する。アンテナユニット７０は、筐体の上面１４Ｕ、前端面１４Ｆ、上面１４Ｕと前端面１４Ｆとの面取り面１４Ｃとそれぞれ当接するように、下面７０Ｕ、裏端面７０Ｆ、面取り面７０Ｃが設けられたＬ字形状に形成されている。
【００２０】
実施形態では、電気的な接続を２つの送信用の雌コネクタ７２ｏ、受信用の雌コネクタ７２ｉで行うため、アンテナユニット７０の取り付けが容易である。また、該雌コネクタ７２ｏ、７２ｉに近接して設けた係合片７４によってのみ係合させ、雌コネクタとの反対側の端部（アンテナ部）側には取り付け機構を設けていない。
【００２１】
情報コード読取装置１０は、アンテナユニット７０が筐体１４に着脱可能に取り付けられ、同軸ケーブル６２ｏ、６２ｉとアンテナユニット７０とが、同軸ケーブル６２ｏ、６２ｉの雄コネクタ６４ｏ、６４ｉから着脱可能なアンテナユニット７０の雌コネクタ７２ｏ、７２ｉを介して接続されている。即ち、電気的接続箇所が２カ所であるため、アンテナユニット７０を筐体１４から容易に着脱可能できるように構成でき、操作者が誤って情報コード読取装置１０を落下させた際にも、アンテナユニット７０を筐体１４から容易に外れるようにすることで、アンテナユニット７０の故障の蓋然性を低下させることができる。
【００２２】
実施形態の情報コード読取装置１０は、アンテナ部９０と高周波回路８０とをユニット化したアンテナユニット７０を、筐体１４の外側に配置してあるため、遠距離のＲＦＩＤタグへのリード・ライトを行うために高出力の電波を高周波回路８０で発生させても、熱が筐体内部で発生せず、筐体外部に取り付けられる高周波回路８０で発生した熱を外気側へ逃がし易い。これにより、高周波回路８０からの発熱に対応することができる。
【００２３】
実施形態の情報コード読取装置１０で、アンテナユニット７０は、矩形形状の筐体１４の長手方向側の前端面１４Ｆに取り付けられ、操作者により把持される操作部（把持部）１２は、該前端面１４Ｆの反対側に設けられる。このため、アンテナユニット７０から操作者が把持する操作部１２が離れ、アンテナユニット７０の高周波回路８０で発生した熱が、操作部１２まで伝わり難い。また、アンテナユニット７０から操作者が把持する操作部１２が離れているため、操作者（人体、手）による影響を受け難く、アンテナの特性を安定させることができる。更に、アンテナユニット７０を筐体１４の外部に置くことで、筐体１４の影響を受けにくくすることができる。
【００２４】
引き続き、情報コード読取装置１０の電気的構成について、図４のブロック図を参照して説明する。
情報コード読取装置１０は、バーコード、二次元コード等の光学情報の読み取りと、ＲＦＩＤタグの情報を無線通信で読み取り書き込みが可能なように構成されている。情報コード読取装置１０には、発光ダイオード２１、集光レンズ２４、受光センサ２３、結像レンズ２７等の光学系と、送信部５２、受信部５４、ＤＣ／制御信号／ＲＦ信号結合回路（電力回路）５６からなる無線系と、メモリ３５、制御回路４０、キースイッチ４１、トリガースイッチ４２、液晶表示装置４６等のマイクロコンピュータ（以下「マイコン」という）系とを備える。
【００２５】
まず、光学系から説明する。発光ダイオード２１は、照明光Ｌｆを照射可能な光照射器として機能するもので、拡散レンズと凸レンズとを組み合わせた集光レンズ２４により集光させる。受光センサ２３は、読取対象物ＲやバーコードＢに照射されて反射した反射光Ｌｒを結像レンズ２７を介して受光可能に構成されるイメージセンサから成る。結像レンズ２７は、外部から入射する入射光を集光して受光センサ２３の受光面２３ａに像を結像可能な結像光学系として機能する。
【００２６】
次に、マイコン系の構成概要を説明する。マイコン系は、増幅回路３１、Ａ／Ｄ変換回路３３、メモリ３５、アドレス発生回路３６、同期信号発生回路３８、制御回路４０、キースイッチ４１、トリガースイッチ４２、ＬＥＤ４３、ブザー４４、液晶表示装置４６、通信部４８等から構成されている。増幅回路３１、Ａ／Ｄ変換回路３３、メモリ３５、アドレス発生回路３６、同期信号発生回路３８、制御回路４０は、プリント基板２０に実装されている。このマイコン系は、その名の通り、マイコン（情報処理装置）として機能し得る制御回路４０およびメモリ３５を中心に構成されるもので、前述した光学系によって撮像された画像信号をハードウェア的およびソフトウェア的に信号処理し得るものである。また制御回路４０は、当該情報コード読取装置１０の全体システムに関する制御も行っている。
【００２７】
光学系の受光センサ２３から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データは、メモリ３５に入力されて蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２８】
制御回路４０は、情報コード読取装置１０全体を制御可能なマイコンで、ＣＰＵ、システムバス、入出力インタフェース等からなるもので、メモリ３５とともに情報処理装置を構成し得るもので情報処理機能を有する。この制御回路４０には、内蔵された入出力インタフェースを介して種々の入出力装置（周辺装置）と接続可能に構成されており、本実施形態の場合、キースイッチ４１、トリガースイッチ４２、ＬＥＤ４３、ブザー４４、液晶表示装置４６、通信部４８等が接続されている。制御回路４０は、二次元コードを読み取った結果を、通信部４８を介して端末管理装置（図示せず）側へ出力するよう構成されている。
【００２９】
プリント基板２０に実装された送信部５２、受信部５４、ＤＣ／制御信号／ＲＦ信号結合回路５６からなる無線系５０は、例えばＲＦＩＤタグとの間で電波による無線通信を行って電力の供給及びデータの読み取りを行うためのものである。ここでは、データの読み取りだけでなく、ＲＦＩＤタグに対するデータの書き込みも行う。
【００３０】
ＤＣ／制御信号／ＲＦ信号結合回路５６の構成を図５に示す。
ＤＣ／制御信号／ＲＦ信号結合回路５６は、ＤＣライン５９からの直流電力、送信部５２からのＲＦ信号、及び、制御回路からの高周波回路用の制御信号を結合させ、アンテナユニットへの接続用の送信用雌コネクタ５８ｏ側へ出力する。制御回路４０からの制御信号は、オペアンプ５６Ａ、カップリングコンデンサＣ２を介してトランジスタ５６Ｃに供給される。カップリングコンデンサＣ２は、制御信号（１ＭＨｚ以下）を通過させる容量値に設定されている。トランジスタ５６Ｃは、ＤＣライン５９から供給される直流電力で、制御信号を電流ブースする。トランジスタ５６Ｃからの信号は、ＤＣ〜低周波信号（１ＭＨｚ以下）を通過させるチョークコイル５６Ｄを介して雌コネクタ５８ｏ側へ出力される。また、送信部５２からのＲＦ信号は、ＲＦ信号（９５３ＭＨｚ帯）を通過させる容量値に設定されたカップリングコンデンサ５６Ｅを介して、雌コネクタ５８ｏ側へ出力される。一方、受信用雌コネクタ５８ｉは、受信部５４への接続されている。
【００３１】
雌コネクタ５８ｏに接続された１本の同軸ケーブル６２ｏを介して、上述したＤＣライン５９からの直流電力、送信部５２からのＲＦ信号、及び、制御回路からの高周波回路用の制御信号がアンテナユニット７０側へ送られる。
【００３２】
図３（Ｃ）は、高周波回路８０の構成を示すブロック図である。上述した同軸ケーブル６２ｏ（雄コネクタ７２ｏ）を介して送られた、直流電力、ＲＦ信号、高周波回路用の制御信号は、ＤＣ／制御信号／ＲＦ信号分離回路８２で分離される。図３（Ｄ）は、ＤＣ／制御信号／ＲＦ信号分離回路８２の構成を示すブロック図である。ローパスフィルタ８２Ｃで分離された直流分は、ＤＣ平滑化回路８９で直流に整流され平滑化された後、昇圧されてパワーアンプ８６の電源電圧として供給される。ハイパスフィルタ８２Ｂで分離された高周波数分（９５３ＭＨｚ帯のＲＦ信号）は、パワーアンプ８６へ供給される。バンドパスフィルタ８２Ａで帯域分離された制御信号（１ＭＨｚ以下）は、制御信号生成回路８４へ供給される。制御信号生成回路８４は、パワーアンプ８６のオン・オフの切り換え、及び、パワーアンプ８６の動作モード（高出力の電波を出力するための高消費電力モード、低出力の電波を出力するための低消費電力モード）の切り換えを行う。即ち、パワーアンプ８６は、遠くのＲＦＩＤタグと通信を行うため高出力の電波を出力する際には、終段トランジスタのバイアスを最大出力の得られる点に設定する高消費電力モードで動作し、近くのＲＦＩＤタグと通信を行うため低出力の電波を出力する際には、終段トランジスタのバイアスを出力高率の良い点に設定する低消費電力モードで動作することで、消費電力を抑制する。パワーアンプ８６からの出力は、サーキュレータ８８を介してアンテナ部９０に接続された同軸ケーブル９２へ送られる。受信電波は、サーキュレータ８８を介して分離され、受信用雌コネクタ７２ｉ側へ接続される。
【００３３】
引き続き、情報コード読取装置１０によるＲＦＩＤタグのリード・ライト動作について説明する。図６は、情報コード読取装置１０のリード・ライト動作を示すステップ図である。図７は制御信号生成回路８４での動作を示すフローチャートである。図８はＤＣ／制御信号／ＲＦ信号結合回路５６からの信号の波形図であり、図８（Ａ）は高消費電力モードのときの波形を示し、図８（Ｂ）は低消費電力モードのときの波形を示す。
【００３４】
まず、ＤＣパワーの供給を開始する（図６：Ｓ１２）。これにより、図８（Ａ）で示すようにＤＣ／制御信号／ＲＦ信号結合回路５６からＤＣ成分が出力される。次に、制御回路４０から出力される制御信号を送付する（図６：Ｓ１４）。図８（Ａ）で示すようにＤＣ／制御信号／ＲＦ信号結合回路５６からのＤＣ成分に、制御信号である正弦波が重畳される。ここで、正弦波によりパワーアンプ８６がオンする（図６：Ｓ１６）。即ち、制御信号生成回路８４は、正弦波の検出によりパワーアンプ８６のオンが指示されたと判断し（図７：Ｓ４２；Ｙｅｓ）、パワーアンプ８６をオンさせる（図７：Ｓ４４）。更に、制御信号生成回路８４は、正弦波の周期が相対的に長いため、高出力モードが指示されたと判断し（図７：Ｓ４６；Ｙｅｓ）、パワーアンプ８６に高消費電力モードでの動作を指示する（図７：Ｓ５０）。
【００３５】
情報コード読取装置１０は、ＲＦＩＤタグとの送受信を開始する（図６：Ｓ１８）。送信部５２からＲＦ信号が出力され、図８（Ａ）で示すようにＤＣ／制御信号／ＲＦ信号結合回路５６からＤＣ成分に重畳した正弦波に更にＦＲ信号が重畳し出力される。これにより、ＲＦＩＤタグとの通信を行う（図６：Ｓ２０）。即ち、制御回路４０は、アンテナ部９０を介して電波を送出するとともに、アンテナ部９０が受け取った受信信号を、受信部５４を介して復調してデータとして抽出する。これにより、ＲＦＩＤタグに対して、電波により電力供給が行われると共に、データの無線通信（リード・ライト）が行われる。
【００３６】
リード・ライトが完了し、ＲＦＩＤタグとの送受信信号を終了する際には（図６：Ｓ２２）、ＲＦ信号の送信を停止し、パワーアンプ８６のオフ信号を送信し（図６：Ｓ２４）、パワーアンプ８６の動作をオフする（図６：Ｓ２６）。即ち、ＤＣ成分への正弦波の重畳を停止させる。制御信号生成回路８４は、正弦波の重畳停止によりパワーアンプ８６のオフが指示されたと判断し（図７：Ｓ５２；Ｙｅｓ）、パワーアンプ８６がオフする（図７：Ｓ５４）。その後、ＤＣ成分の出力を停止させ（図６：Ｓ２８）、処理を終了する。
【００３７】
ここで、図８（Ｂ）に示す低消費電力モードが指示される場合について説明する。
まず、ＤＣパワーの供給を開始する（図６：Ｓ１２）。これにより、図８（Ｂ）で示すようにＤＣ／制御信号／ＲＦ信号結合回路５６からＤＣ成分が出力される。次に、制御回路４０から出力される制御信号を送付する（図６：Ｓ１４）。図８（Ｂ）で示すようにＤＣ／制御信号／ＲＦ信号結合回路５６からのＤＣ成分に、制御信号である正弦波が重畳される。ここで、正弦波によりパワーアンプ８６がオンする（図６：Ｓ１６）。即ち、制御信号生成回路８４は、正弦波の検出によりパワーアンプ８６のオンが指示されたと判断し（図７：Ｓ４２；Ｙｅｓ）、パワーアンプ８６をオンさせる（図７：Ｓ４４）。更に、制御信号生成回路８４は、正弦波の周期が相対的に短いため、低出力モードが指示されたと判断し（図７：Ｓ４６；Ｎｏ）、パワーアンプ８６に低消費電力モードでの動作を指示する（図７：Ｓ４８）。以降の処理は、上述した高消費電力モードと同じであるため、説明を省略する。
【００３８】
実施形態の情報コード読取装置１０は、ＤＣ／制御信号／ＲＦ信号結合回路５６からパワーアンプ８６を動作させるための直流電力と、ＲＦＩＤリード・ライト用の高周波信号（ＲＦ信号）と、パワーアンプ８６を制御するための低周波の制御用信号とを１本の同軸ケーブル６２ｏを介して高周波回路８０へ供給し、高周波回路８０は、直流電力と、高周波信号と、低周波の制御用信号とを分離し、該低周波の制御用信号に基づき制御を行い、直流電力を用いて高周波信号を増幅してアンテナ部９０側へ出力する。即ち、ＤＣ／制御信号／ＲＦ信号結合回路５６と高周波回路８０とが１本の同軸ケーブル６２ｏで接続可能であり、アンテナユニット７０と筐体１４内に設けられるＤＣ／制御信号／ＲＦ信号結合回路５６との電気的接続箇所を２カ所（送信用コネクタ６４ｏ、受信用コネクタ６２ｉ）にできるので、アンテナユニット７０を筐体１４に簡単に取り付けることができる。
【００３９】
実施形態の情報コード読取装置１０は、高周波回路８０が、直流電力を分離するための低周波通過フィルター８２Ｃと、高周波信号を分離するための高周波通過フィルター８２Ａと、低周波の制御用信号を分離するための帯域通過フィルタ８２Ｂとを備える。このため、高周波回路８０は、ＤＣ／制御信号／ＲＦ信号結合回路５６からの出力から直流電力と、高周波信号と、低周波の制御用信号とを分離することができる。
【００４０】
実施形態の情報コード読取装置１０は、高周波回路８０のパワーアンプ８６が、高出力の電波を出力するための高消費電力モードと、低出力の電波を出力するための低消費電力モードとを低周波の制御用信号に基づき切り換える。高消費電力モードで高出力の電波を出力して遠距離のＲＦＩＤタグへのリード・ライトが可能であると共に、近距離のＲＦＩＤタグへのリード・ライトの際には低消費電力モード用いて電力の消費を押さえ、電池による駆動時間を延ばすことができる。
【符号の説明】
【００４１】
１０  情報コード読取装置
１４  筐体
４０  制御回路
５２  送信部
５４  受信部
５６  ＤＣ／制御信号／ＲＦ信号結合回路（電力回路）
６２ｏ、６２ｉ  同軸ケーブル（高周波ケーブル）
７０  アンテナユニット
７２ｏ、７２ｉ  雌コネクタ
８０  高周波回路
８２  ＤＣ／制御信号／ＲＦ信号分離回路
８２Ａ  ローパスフィルタ
８２Ｂ  ハイパスフィルタ
８２Ｃ  バンドパスフィルタ
８６  パワーアンプ
９０  アンテナ部
【図１】
2011008452.tif 000003
【図２】
2011008452.tif 000004
【図３】
2011008452.tif 000005
【図４】
2011008452.tif 000006
【図５】
2011008452.tif 000007
【図６】
2011008452.tif 000008
【図７】
2011008452.tif 000009
【図８】
2011008452.tif 000010